(57)【要約】【課題】ユーザにとって有意なストリームのみを記録することができるようにする。【解決手段】情報記録装置において、ＭＰＥＧ−ＴＳよりパケット情報を取得するフィルタ部１２と、ＭＰＥＧ−ＴＳの特定のパケットのみを選択しそれ以外を破棄する選択部１４と、特定のパケットのみのデジタルストリーム信号に整合用のパケットを挿入する挿入部１５と、選択部１４及び挿入部１５を経て生成されるストリームを記録媒体に記録する記録部１７，１８と、フィルタ部１２より取得したパケット情報から階層伝送記述子を判定し、当該記述子の判定結果に基づいて記録対象とする階層のストリームを決定し、その階層のストリームが選択され記録されるように選択部１４、挿入部１５を制御する制御部１３とを備える。【選択図】      図８
2009290786.tif 000002
【特許請求の範囲】
【請求項１】
ＭＰＥＧ−ＴＳ（Moving Picture Experts Group - Transport Stream）に準じたデジタルストリーム信号を記録する情報記録方法において、
前記デジタルストリーム信号よりパケット情報を取得し、
前記デジタルストリーム信号の特定のパケットのみを選択しそれ以外を破棄し、
前記特定のパケットのみのデジタルストリーム信号に整合用のパケットを挿入し、
前記パケットの選択及び挿入を経て生成されるデジタルストリームを記録媒体に記録し、
前記取得したパケット情報から階層伝送記述子を判定し、当該記述子の判定結果に基づいて前記パケット選択と前記パケット挿入を制御するようにし、
前記階層伝送記述子に基づき記録対象とする階層のストリームを決定し、その階層のストリームが選択され記録されるように制御することを特徴とする情報記録方法。
【請求項２】
前記階層伝送記述子が降雨対応放送であることを示す情報であるとき、前記デジタルストリーム信号の信号品質に応じて高階層のストリーム、低階層のストリームのいずれか一方を選択するように前記パケット選択及びパケット挿入を制御することを特徴とする請求項１記載の情報記録方法。
【請求項３】
ＭＰＥＧ−ＴＳ（Moving Picture Experts Group - Transport Stream）に準じたデジタルストリーム信号を記録するように構成された情報記録方法において、
前記デジタルストリーム信号よりパケット情報を取得し、
前記デジタルストリーム信号の特定のパケットのみを選択しそれ以外を破棄し、
前記特定のパケットのみのデジタルストリーム信号に整合用のパケットを挿入し、
前記パケットの選択及び挿入を経て生成されるデジタルストリームを記録媒体に記録し、
前記取得したパケット情報からコンポーネントグループ記述子を判定し、当該記述子の判定結果に基づいて前記パケット選択と前記パケット挿入を制御するようにし、
前記コンポーネントグループ記述子に基づき記録対象とするグループのストリームを決定し、そのグループのストリームが選択され記録されるように前記パケット選択とパケット挿入を制御することを特徴とする情報記録方法。
【請求項４】
前記コンポーネントグループ記述子がマルチビュー放送であることを示す情報であるとき、前記マルチビュー放送による表示のうちユーザ指定の表示内容のストリームが選択され記録されるように前記パケット選択及びパケット挿入を制御することを特徴とする請求項３記載の情報記録方法。
【請求項５】
ＭＰＥＧ−ＴＳ（Moving Picture Experts Group - Transport Stream）に準じたデジタルストリーム信号を記録するように構成された情報記録装置において、
前記デジタルストリーム信号よりパケット情報を取得するフィルタ部と、
前記デジタルストリーム信号の特定のパケットのみを選択しそれ以外を破棄する選択部と、
前記特定のパケットのみのデジタルストリーム信号に整合用のパケットを挿入する挿入部と、
前記選択部及び挿入部を経て生成されるデジタルストリームを記録媒体に記録する記録部と、
前記フィルタ部より取得したパケット情報から階層伝送記述子を判定し、当該記述子の判定結果に基づいて前記選択部のパケット選択と前記挿入部のパケット挿入を制御する制御部とを具備し、
前記制御部は前記フィルタ部より取得した階層伝送記述子に基づき記録対象とする階層のストリームを決定し、その階層のストリームが選択され記録されるように前記選択部、前記挿入部を制御することを特徴とする情報記録装置。
【請求項６】
前記階層伝送記述子が降雨対応放送であることを示す情報であるとき、前記制御部は前記デジタルストリーム信号の信号品質に応じて高階層のストリーム、低階層のストリームのいずれか一方を選択するように前記選択部及び挿入部を制御することを特徴とする請求項５記載の情報記録装置。
【請求項７】
ＭＰＥＧ−ＴＳ（Moving Picture Experts Group - Transport Stream）に準じたデジタルストリーム信号を記録するように構成された情報記録装置において、
前記デジタルストリーム信号よりパケット情報を取得するフィルタ部と、
前記デジタルストリーム信号の特定のパケットのみを選択しそれ以外を破棄する選択部と、
前記特定のパケットのみのデジタルストリーム信号に整合用のパケットを挿入する挿入部と、
前記選択部及び挿入部を経て生成されるデジタルストリームを記録媒体に記録する記録部と、
前記フィルタ部より取得したパケット情報からコンポーネントグループ記述子を判定し、当該記述子の判定結果に基づいて前記選択部のパケット選択と前記挿入部のパケット挿入を制御する制御部とを具備し、
前記制御部は前記フィルタ部より取得したコンポーネントグループ記述子に基づき記録対象とするグループのストリームを決定し、そのグループのストリームが選択され記録されるように前記選択部、前記挿入部を制御することを特徴とする情報記録装置。
【請求項８】
前記コンポーネントグループ記述子がマルチビュー放送であることを示す情報であるとき、前記制御部は前記マルチビュー放送による表示のうちユーザ指定の表示内容のストリームが選択され記録されるように前記選択部及び挿入部を制御することを特徴とする請求項７記載の情報記録装置。
【発明の詳細な説明】
【技術分野】
【０００１】
この発明は、衛星デジタルＴＶ（テレビジョン）放送や地上波デジタルＴＶ放送などで用いられるデジタルストリーム信号（ＭＰＥＧ−ＴＳ：Moving Picture Experts Group - Transport Stream）などの記録に適した情報記録方法、および情報記録装置に関する。
【背景技術】
【０００２】
近年、ＴＶ放送は、ハイビジョン番組（高精細ＡＶ情報の番組）を主な放送コンテンツとするデジタル放送の時代に突入してきた。現在実施されているＢＳデジタルＴＶ放送や地上波デジタルＴＶ放送では、ＭＰＥＧ−２のトランスポートストリーム（以下、適宜ＭＰＥＧ−ＴＳと略記する）が採用されている。動画を使用したデジタル放送の分野では、今後もＭＰＥＧ−ＴＳが標準的に用いられると考えられる。このようなデジタルＴＶ放送の開始に伴って、デジタルＴＶ放送のコンテンツをそのまま録画できるストリーマのマーケットニーズが高まってきている。このようなストリーマの例として、下記特許文献１に開示されたものがある。
【０００３】
この特許文献１では、ＭＰＥＧ−ＴＳに準じたデジタルストリーム信号をストリームオブジェクトとして扱うことを提案している。また、ストリームオブジェクトの再生時に、優れたランダムアクセス性を実現するために、ストリームオブジェクトの記録時にストリームオブジェクトに係る属性情報を管理情報として生成し、記録することを提案している。
【０００４】
さらに、特許文献１では、記録するデジタルストリーム信号の具体例として、日本国内のデジタル放送規格であるＡＲＩＢ（Association of Radio Industries and Businesses）をあげている。デジタル放送規格としては、その他にもヨーロッパではＤＶＢ（Digital Video Broadcasting）、米国ではＡＴＳＣ（Advanced Television Systems Committee）がある。いずれの放送規格もＭＰＥＧ−ＴＳに準じたデジタルストリーム信号を採用している。
【０００５】
ここで、上記ＭＰＥＧ−ＴＳは動画、音声等のデータ（ＥＳ：Elementary Stream）に同期や制御等のデータを付加し多重化したデータであり、１つのＭＰＥＧ−ＴＳ内には複数の番組を多重することが可能である。また１つの番組内においても複数の動画、音声等のデータを多重して構成することが可能である。特許文献１では１つのＭＰＥＧ−ＴＳから１つの番組を選択し、記録する方法をあげている。
【０００６】
一方、記録容量をできる限り少なくするために、１つの番組中に含まれているデータから特定のＥＳのみを記録したいというニーズが高まっている。例えばＡＲＩＢにおける降雨対応放送では、同じコンテンツの映像、音声データが通常視聴時用のデータと降雨時視聴用のデータとなって多重されている。このような場合、ユーザは通常視聴時用のデータのみ記録できれば十分である。
【０００７】
また、近年、新しい動画符号化形式としてＨ．２６４／ＭＰＥＧ４−ＡＶＣ（以下、適宜Ｈ．２６４と略記する）が注目されており、ＭＰＥＧ−２ビデオ形式をＨ．２６４形式に変換するトランスコーダを用いて、デジタル放送を記録する装置が登場している。このようなトランスコーダでは、扱うことができるＥＳ数に制限がある場合がある。
【特許文献１】特開２００４−２９５９４７号公報。
【発明の開示】
【発明が解決しようとする課題】
【０００８】
上記したように従来のＭＰＥＧトランスポートストリームに準じたデジタルストリーム信号の記録方法では、ユーザにとって有意か否かにかかわらず、選択番組の全ＥＳを記録しており、記録容量を必要以上に占有している。また、扱うことのできるＥＳ数に制限がある場合に対応不可となることがある。
【０００９】
本発明の目的は、上記の問題を解決し、ＭＰＥＧトランスポートストリームに準じたデジタルストリーム信号を記録する場合において、ユーザにとって有意なＥＳのみを記録することができ、これにより記録容量の削減が実現でき、特に扱うことが可能なＥＳの数に制限がある場合に極めて有効な情報記録方法及び情報記録装置を提供することにある。
【課題を解決するための手段】
【００１０】
上記目的を達成するために本発明に係る情報記録方法及び情報記録装置は、ＭＰＥＧ−ＴＳに準じたデジタルストリーム信号を記録する情報記録方法において、前記デジタルストリーム信号よりパケット情報を取得し、前記デジタルストリーム信号の特定のパケットのみを選択しそれ以外を破棄し、前記特定のパケットのみのデジタルストリーム信号に整合用のパケットを挿入し、前記パケットの選択及び挿入を経て生成されるデジタルストリームを記録媒体に記録し、前記取得したパケット情報から階層伝送記述子またはコンポーネントグループ記述子を判定し、当該記述子の判定結果に基づいて前記パケット選択と前記パケット挿入を制御するようにし、前記階層伝送記述子またはコンポーネントグループ記述子に基づき記録対象とする階層またはグループのストリームを決定し、その階層またはグループのストリームが選択され記録されるように制御することを特徴とする。
【００１１】
すなわち、本発明に係る情報記録方法及び情報記録装置では、ＭＰＥＧ−ＴＳに準じたデジタルストリーム信号のデータより、階層伝送記述子またはコンポーネントグループ記述子を取り出し、その情報に従い有意なＥＳを選択し、有意なパケットのみを記録する。これにより、ユーザにとって有意なＥＳのみを記録することが可能となり、これにより記録容量を削減することが可能となる。また、トランスコーダ等において扱うことが可能なＥＳの数に制限がある場合においても、効率よく記録することが可能となる。
【発明の効果】
【００１２】
以上のように構成したことにより、本発明によれば、ＭＰＥＧトランスポートストリームに準じたデジタルストリーム信号を記録する場合において、ユーザにとって有意なＥＳのみを記録することができ、これにより記録容量の削減が実現でき、特に扱うことが可能なＥＳの数に制限がある場合に極めて有効な情報記録方法及び情報記録装置を提供することができる。
【発明を実施するための最良の形態】
【００１３】
以下、図面を参照して本発明の実施の形態を詳細に説明する。
【００１４】
まず、デジタルＴＶ放送やインターネットなど有線を使用した放送などの圧縮動画を放送（配信）するための方式として、共通の基本フォーマットであるＭＰＥＧ−ＴＳ方式について説明する。このＭＰＥＧ−ＴＳ方式では、個々のパケットが管理データ部分とペイロードに分かれる。ペイロードには、再生されるべき対象のデータがスクランブルの掛かった状態で含まれている。
【００１５】
ＡＲＩＢによると、その他のＰＡＴ（Program Association Table）、ＰＭＴ（Program Map Table）、ＳＩ（Service Information）に関しては、スクランブルされていない。また、ＰＭＴやＳＩ（ＳＤＴ：Service Description Table、ＥＩＴ：Event Information Table、ＢＡＴ：Bouquet Association Table）を利用してさまざまな管理情報が作成される。再生対象としては、ＭＰＥＧビデオデータ、Dolby ＡＣ３オーディオデータ、ＭＰＥＧオーディオデータ、データ放送データなどがある。さらに、直接再生対象には関係ないが、再生する上で必要なＰＡＴ、ＰＭＴ、ＳＩなどの情報（番組情報等）などがある。ＰＡＴには、番組毎のＰＭＴのＰＩＤ（Packet Identification）が含まれており、さらにＰＭＴにはビデオデータやオーディオデータのＰＩＤが記録されている。
【００１６】
ＳＴＢ（Set Top Box）の通常の再生手順は次のようになる。すなわち、電子番組情報（ＥＰＧ情報）によりユーザが番組を決定すると、目的の番組の開始時間にＰＡＴを読み込み、そのデータを元に希望の番組に属するＰＭＴのＰＩＤを決定する。そのＰＩＤに従って目的のＰＭＴを読み出し、そこに含まれる再生すべきビデオおよびオーディオパケットのＰＩＤを決定する。そして、ＰＭＴやＳＩによりビデオおよびオーディオの属性を読み出して各デコーダへセットし、そのビデオおよびオーディオデータをＰＩＤに従って切り出してそれらの再生を行う。
【００１７】
ここで、ＰＡＴ、ＰＭＴ、ＳＩ等は途中再生にも使用するために、数１００ｍｓ毎に送信されてくる。このようなストリーム（特に衛星または地上デジタル放送のストリーム）を記録するための規格がＨＤ＿ＤＶＤ−ＶＲ規格としてＤＶＤフォーラムにより作成され、この規格に基づくHigh-definition digital video recorderが既に商品化されている。
【００１８】
尚、デジタル放送は国毎に放送方式が異なる。例えば、ヨーロッパではＤＶＢ（Digital Video Broadcasting）、米国ではＡＴＳＣ（Advanced Television Systems Committee）、日本ではＡＲＩＢ（Association of Radio Industries and Businesses）となっている。
【００１９】
以下、ＡＲＩＢにおけるストリーム構造を図１乃至図７を用いて説明する。
【００２０】
図１はＰＭＴの概略を示している。図１に示すように、ＰＭＴ中にはプログラム番号、ＰＣＲ＿ＰＩＤ、複数の記述子、複数のＥＳ情報が含まれる。プログラム番号はプログラムを識別するためのＩＤ、ＰＣＲ＿ＰＩＤはＰＣＲを伝送するパケットのＰＩＤ、記述子（1st roop）はプログラムに関する情報が記述された情報、ＥＳ情報はプログラムを構成するＥＳに関する情報である。
【００２１】
また、上記ＥＳ情報中にはストリーム形式識別、エレメンタリーＰＩＤ、複数の記述子が含まれる。ストリーム形式識別はＥＳが映像か音声か等を示す情報、エレメンタリーＰＩＤはＥＳを伝送するパケットのＰＩＤ、記述子（2nd roop）はＥＳに関する情報が記述された情報であり、記述子（2nd roop）にはコンポーネント記述子、階層伝送記述子などが含まれる。
【００２２】
図２はコンポーネント記述子の概略を示している。図２に示すように、コンポーネント記述子中にはコンポーネント種別、コンポーネントタグ値が含まれる。コンポーネント種別はこのコンポーネント記述子を含むＥＳ情報のＥＳの種別が記述された情報、コンポーネントタグ値はこのＥＳを識別するＩＤである。
【００２３】
上記コンポーネントタグ値は図３に従った値をとることになっている。すなわち、番組境界等でＰＭＴの情報が変化した場合においても、現在視聴中のＥＳのコンポーネントタグ値と同一のコンポーネントタグ値を持つＥＳが存在すれば、ＥＳのＰＩＤが替わっていたとしてもそのＥＳを継続して表示することとなっている。ここで、デフォルトＥＳとは、それぞれの種別のストリームが存在する場合に必須で存在しなければならないＥＳであり、視聴開始時に選択されるＥＳである。また、上記番組境界の例で、現在視聴中のＥＳのコンポーネントタグ値と同一のコンポーネントタグ値を持つＥＳが存在しなかった場合に、視聴に用いられることになっているＥＳである。
【００２４】
図４は階層伝送記述子の概略を示している。図４に示すように、解像伝送記述子中には階層レベルと参照先ＰＩＤが含まれる。階層レベルは高階層と低階層が定義されている。参照先ＰＩＤは参照先のＥＳのＰＩＤを示している。参照先ＰＩＤとは、例えば映像ＥＳが高階層の場合には対応する低階層の映像ＥＳのＰＩＤを指す。対応するＥＳが無い場合は、ヌルパケットのＰＩＤである０ｘ１ＦＦＦを指定する。
【００２５】
上記階層伝送記述子は降雨対応放送に用いられる。降雨対応放送ではデータ伝送量は多いが降雨等により信号が減衰する特徴のある周波数と、データ伝送量は少ないが降雨時の影響が少ない事を特徴とする周波数を用いデータを伝送する。ＳＴＢは、通常データ伝送量の多い周波数で伝送されるデータを使って視聴するが、降雨時等で伝送されるデータに欠落が生じるような場合には、データ伝送量の少ない周波数で伝送されるデータに切り替えて視聴する。前者を高階層、後者を低階層とし論理レベルで切り替えを可能としている。
【００２６】
図５は階層伝送記述子を用いた降雨対応放送の例を示す図である。図５において、映像１、音声１の階層レベルは高階層であり、それぞれ低階層の映像２、音声２を参照している。映像２、音声２の階層レベルは低階層であり、それぞれ高階層の映像１、音声１を参照している。この例では、通常は映像１、音声１が視聴に用いられるが、降雨等により高階層での視聴が困難な場合は低階層に切り替わり、映像２、音声２が視聴に用いられる。
【００２７】
図６は階層伝送記述子を用いた降雨対応放送のもう一つの例を示す図である。図６において、映像１の階層レベルは高階層であり、低階層の映像２を参照している。映像２、音声１の階層レベルは低階層であり、映像２では高階層の映像１を参照している。しかし音声１は参照先が無いため、ヌルパケットのＰＩＤを参照している。この例では視聴に用いられる音声は常に低階層の音声１となる。映像においては通常は映像１が視聴に用いられ、降雨等により高階層での視聴が困難な場合は映像２が視聴に用いられる。
【００２８】
図７はＥＩＴに含まれるコンポーネントグループ記述子の概略を示している。図７に示すように、コンポーネントグループ記述子中には複数のコンポーネントグループが含まれる。コンポーネントグループ中には複数のコンポーネントタグが含まれる。コンポーネントグループ記述子はマルチビュー放送に用いられる。マルチビュー放送では１つの番組内で複数のチャンネルが放送されているかのように見える。ユーザはコンポーネントグループ単位で視聴の切り替えを行うことができる。ユーザによりコンポーネントグループが選択されると、そのコンポーネントグループ内に含まれるコンポーネントタグが示すＥＳが視聴に用いられる。
【００２９】
図８は、上記構造のＭＰＥＧ−ＴＳ方式を採用したデジタル放送に用いられるデジタル放送番組記録装置に本発明を適用した場合の一実施形態を示すブロック構成図である。図８において、デジタルチューナ１１では放送データを受信し、ユーザが選択した番組のデータを含むＭＰＥＧ−ＴＳを取り出して後段のパケットフィルタ１２に送る。ここで、ストリームにスクランブルがかかっている場合は、スクランブルは解除されて後段に送られる。パケットフィルタ１２ではパケット制御部１３より指定されたパケットの情報をストリーム中より取得し、その指定パケット情報が取得された場合にはパケット制御部１３に通知する。パケット選択部１４ではパケット制御部１３より指定されたパケットのみを後段のブロックに送り、それ以外のパケットは破棄する。本実施形態では、パケット制御部１３は特定のＥＳを含むパケットのみを後段のブロックに送るようにパケット選択部１４に設定する。
【００３０】
一方、パケット挿入部１５はパケット制御部１３より設定された新たなパケットを一定間隔でストリーム中に挿入する。本実施形態では、パケット制御部１３はＰＡＴ、ＰＭＴ、ＳＩＴ等のパケットを設定する。これは、すなわち、デジタルチューナ１１から送られた元のＭＰＥＧ−ＴＳストリームから特定の番組、特定のＥＳのみを抜き出した新しいストリーム（パーシャルＴＳ）を生成するため、ＰＡＴ、ＰＭＴもパーシャルＴＳとして整合のとれたデータとする必要があるためである。またＳＩＴは元のストリームからいくつかの記述子を抽出して作成されるパケットであり、パーシャルＴＳとして必要なデータである。
【００３１】
また、パケット解析部１６はストリームの中のデータを解析し、管理情報を生成する。管理情報は特殊再生容易性を実現するために付加される情報である。また、ここではストリームにおいても必要な加工がなされる。例えば、特許文献１の例ではパケットグループヘッダが付加される。また、必要であればスクランブル処理が行われる。
【００３２】
上記のような流れを経て作成された記録ストリーム及び管理情報は、それぞれ情報記録媒体による記録部１７，１８に記録される。尚、記録ストリーム用、管理情報用に別々に用意された記録部１７，１８は、一つの記録媒体で共用するようにしてもよい。
【００３３】
図９は本実施形態におけるパケット制御部１３で行われる処理の流れを示すフローチャートである。以下、このフローチャートにしたがって、パケット制御部１３の処理を説明する。
【００３４】
まず、記録開始の指示があると、パケットフィルタ１２にＰＩＤが０のパケットの情報を取得するように設定し、ＰＡＴのＰＩＤは常に０であることを利用して、こＰＡＴの情報を取得する（ステップＳ１）。続いて、ＰＡＴの情報よりユーザが選択した番組を含むプログラムに対応するＰＭＴのＰＩＤを取得し、このＰＩＤを用いてパケットフィルタ１２よりＰＭＴの情報を取得する（ステップＳ２）。
【００３５】
ここで、ＰＭＴの情報に階層伝送記述子が含まれているかをチェックする（ステップＳ３）。含まれている場合（ＹＥＳ）には、この放送は降雨対応放送であると判定し、パケット選択部１４にＰＭＴに記載されているＥＳのうち通常放送に用いられるＥＳを設定する（ステップＳ４）。実施例の一つとして、降雨対応放送では通常の視聴に用いられるＥＳのみを記録する。これは高階層のＥＳを参照する低階層のＥＳは、通常高階層のＥＳと同じ内容のコンテンツ表すデータで、かつ高階層のＥＳより品質の低いデータであるため、高階層のＥＳのみがあれば十分だからである。
【００３６】
図５の例では映像１が高階層であり、参照する低階層のＥＳが存在することから、映像１を含むパケットがパケット選択部１４に設定される。また、同様に音声１がパケット選択部１４に設定される。図６の例では映像１がパケット選択部１４に設定される。また、音声１は低階層であるが、参照する高階層がないため、通常時の視聴に用いられるＥＳである。したがって、音声１もパケット選択部１４に設定される。尚、制御部１３において、信号品質の判定結果が得られる場合には、その判定結果に基づいて階層を適宜選択するようにしてもよい。
【００３７】
続いて、ステップＳ３において、ＰＭＴの情報に階層伝送記述子が含まれていない場合（ＮＯ）、パケットフィルタ１２よりＥＩＴの情報を取得する（ステップＳ５）。ＥＩＴの情報にコンポーネントグループ記述子が含まれる場合（ＹＥＳ）には、この放送はマルチビュー放送であると判定し、パケット選択部１４にＰＭＴに記載されているＥＳで視聴中のコンポーネントグループに含まれるＥＳを設定する（ステップＳ７）。実施例の一つとしては、マルチビュー放送ではいくつかのグループから１つのグループが視聴に用いられることから、現在視聴に用いられているグループ中のＥＳをパケット選択部１４に設定する。上記ステップＳ６において、いずれにも当て張らない場合（ＮＯ）には、ＰＭＴに記載されているＥＳをパケット選択部１４に設定する（ステップＳ８）。
【００３８】
ここで、ステップＳ４，Ｓ７，Ｓ８において、パケット選択部１４に設定したパケットを含むパーシャルＴＳとして不整合がないように、ＰＡＴ、ＰＭＴ、ＳＩＴのデータを作成し、パケット挿入部１５に設定する（ステップＳ９）。上記の制御は記録が停止するまで繰り返される（ステップＳ１０）。
【００３９】
上記処理によれば、番組データ中から、コンポーネントグループ記述子、または階層伝送記述子を取り出し、その情報に従い有意なＥＳを選択し、有意なパケットのみを記録する。したがって、上記構成による情報記録装置では、ユーザにとって有意なＥＳのみを記録することが可能となり、これにより記録容量を削減することが可能となる。また、トランスコーダ等において扱うことが可能なＥＳの数に制限がある場合においても、効率よく記録することが可能となる。
【００４０】
なお、この発明は前述した実施の形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４１】
【図１】本発明が適用されるＡＲＩＢにおけるＭＰＥＧ−ＴＳ方式ストリーム構造のＰＭＴの概略を示す図。
【図２】上記ストリーム構造のコンポーネント記述子の概略を示す図。
【図３】図２に示すコンポーネント記述子中のコンポーネントタグ値の例を示す図。
【図４】上記ストリーム構造の階層伝送記述子の概略を示す図。
【図５】階層伝送記述子を用いた降雨対応放送の例を示す図。
【図６】階層伝送記述子を用いた降雨対応放送の他の例を示す図。
【図７】上記ストリーム構造のＥＩＴに含まれるコンポーネントグループ記述子の概略を示す図。
【図８】上記構造のＭＰＥＧ−ＴＳ方式を採用したデジタル放送に用いられるデジタル放送番組記録装置に本発明を適用した場合の一実施形態を示すブロック構成図である。
【図９】図８に示す実施形態におけるパケット制御部で行われる処理の流れを示すフローチャート。
【符号の説明】
【００４２】
１１…デジタルチューナ、１２…パケットフィルタ、１３…パケット制御部、１４…パケット選択部、１５…パケット挿入部、１６…パケット解析部、１７，１８…記録部。
【図１】
2009290786.tif 000003
【図２】
2009290786.tif 000004
【図３】
2009290786.tif 000005
【図４】
2009290786.tif 000006
【図５】
2009290786.tif 000007
【図６】
2009290786.tif 000008
【図７】
2009290786.tif 000009
【図８】
2009290786.tif 000010
【図９】
2009290786.tif 000011